(57)【特許請求の範囲】
【請求項１】
順番付けられた複数のＡＶコンテンツと前記各ＡＶコンテンツに関連づけられた画像とが記憶された外部装置に接続し、接続した前記外部装置に記憶されているＡＶコンテンツを出力するＡＶ装置であって、
前記外部装置に記憶されているＡＶコンテンツに関連づけられた前記画像を、当該画像が関連づけられているＡＶコンテンツの前記順番に従って配置したリストの一部を画像リストとしてスクロール表示可能に表示する画像リスト表示部と、
ユーザの操作に応じて、前記画像リスト上の特定の位置に配置された画像に関連づけられたＡＶコンテンツをユーザが選択したＡＶコンテンツとして受け付けるＡＶコンテンツ受付部とを有し、
前記画像リスト表示部は、表示する画像リストに配置すべき各画像を、配置すべき画像リスト上の位置が前記特定の位置に近い順に、前記接続した前記外部装置から読み込み、読み込んだ各画像を用いて前記画像リストを表示することを特徴とするＡＶ装置。
【請求項２】
順番付けられた複数のＡＶコンテンツと前記各ＡＶコンテンツに関連づけられた画像とが記憶された外部装置に接続し、接続した前記外部装置に記憶されているＡＶコンテンツを出力するＡＶ装置であって、
前記接続した前記外部装置から前記画像を読み込んで、読込データとして保持する読込部と、
前記外部装置に記憶されているＡＶコンテンツに関連づけられた前記画像を、当該画像が関連づけられているＡＶコンテンツの前記順番に従って配置したリストの一部を画像リストとしてスクロール表示可能に表示するリスト表示部と、
ユーザの操作に応じて、前記画像リスト上の特定の位置に配置された画像に関連づけられたＡＶコンテンツをユーザが選択したＡＶコンテンツとして受け付けるＡＶコンテンツ受付部とを有し、
前記リスト表示部は、前記読込データとして保持されている画像を用いて前記画像リストの表示を行い、
前記読込部は、前記画像リストのスクロール停止時に前記リスト表示部が表示する画像リストに配置すべき各画像のうちの前記読込データとして保持されていないものを、配置すべき画像リスト上の位置が前記特定の位置に近い順に、前記接続した前記外部装置から読み込んで、前記読込データとして保持することを特徴とするＡＶ装置。
【請求項３】
請求項２記載のＡＶ装置であって、
前記外部装置は、当該外部装置に記憶されたＡＶコンテンツの属性を表すテキストも記憶し、
前記読込部は、前記接続した前記外部装置から前記テキストを読み込んで、読込データとして保持し、
当該ＡＶ装置は、
前記画像リストに配置された画像のうちの、少なくとも前記画像リスト上の前記特定の位置に配置された画像を含む、１または複数の画像の各々に関連づけられているＡＶコンテンツを属性対象表示ＡＶコンテンツとして、当該属性対象表示の属性を、前記読込データとして保持されているテキストを用いて表示する属性表示部を有し、
前記読込部は、
前記画像リストに含まれる画像が関連づけられたＡＶコンテンツの順番を順次大きくするスクロール表示が開始されたならば、当該スクロール表示が停止されるまで、当該スクロール表示開始時に前記属性対象表示ＡＶコンテンツとなっているＡＶコンテンツより後の順番の各ＡＶコンテンツの属性を表すテキストのうちの前記読込データとして保持されていないテキストを、当該ＡＶコンテンツの順番に従った順序で、順次、前記接続した前記外部装置から読み込んで、前記読込データとして保持し、
前記画像リストに含まれる画像が関連づけられたＡＶコンテンツの順番を順次小さくするスクロール表示が開始されたならば、当該スクロール表示が停止されるまで、当該スクロール表示開始時に前記属性対象表示ＡＶコンテンツとなっているＡＶコンテンツより前の順番の各ＡＶコンテンツの属性を表すテキストのうちの前記読込データとして保持されていないテキストを、当該ＡＶコンテンツの順番に従った順序と逆順に、順次、前記接続した前記外部装置から読み込んで前記読込データとして保持することを特徴とするＡＶ装置。
【請求項４】
請求項１記載のＡＶ装置であって、
前記画像リスト上の特定の位置は、前記画像リスト上の中央の位置であることを特徴とするＡＶ装置。
【請求項５】
請求項２記載のＡＶ装置であって、
前記画像リスト上の特定の位置は、前記画像リスト上の中央の位置であることを特徴とするＡＶ装置。
【請求項６】
請求項４記載のＡＶ装置であって、
前記画像リスト上の中央の位置に配置する画像のサイズを、前記画像リスト上の他の位置に配置する画像のサイズよりも大きなサイズを有することを特徴とするＡＶ装置。
【請求項７】
請求項５記載のＡＶ装置であって、
前記画像リスト上の中央の位置に配置する画像のサイズを、前記画像リスト上の他の位置に配置する画像のサイズよりも大きなサイズを有することを特徴とするＡＶ装置。
【請求項８】
請求項１記載のＡＶ装置であって、
ＡＶコンテンツは、オーディオアルバムであり、
当該ＡＶ装置は、前記ＡＶコンテンツ受付部がユーザが選択したＡＶコンテンツとして受け付けたＡＶコンテンツであるオーディオアルバムを出力することを特徴とするＡＶ装置。
【請求項９】
前記請求項２記載のＡＶ装置であって、
ＡＶコンテンツは、オーディオアルバムであり、
当該ＡＶ装置は、前記ＡＶコンテンツ受付部がユーザが選択したＡＶコンテンツとして受け付けたＡＶコンテンツであるオーディオアルバムを出力することを特徴とするＡＶ装置。
【請求項１０】
請求項３記載のＡＶ装置であって、
前記ＡＶコンテンツは、オーディオアルバムであり、
ＡＶコンテンツの属性を表すテキストは、当該ＡＶコンテンツであるオーディオアルバムのアルバム名とアーティストとの少なくとも一方を表すテキストであることを特徴とするＡＶ装置。
【請求項１１】
コンピュータによって読み取られ実行されるコンピュータプログラムであって、
当該コンピュータプログラムは、前記コンピュータを、順番付けられた複数のＡＶコンテンツと前記各ＡＶコンテンツに関連づけられた画像とが記憶された外部装置に接続し、接続した前記外部装置に記憶されているＡＶコンテンツを出力するＡＶ装置として機能させ、
当該ＡＶ装置は、
前記外部装置に記憶されているＡＶコンテンツに関連づけられた前記画像を、当該画像が関連づけられているＡＶコンテンツの前記順番に従って配置したリストの一部を画像リストとしてスクロール表示可能に表示する画像リスト表示部と、
ユーザの操作に応じて、前記画像リスト上の特定の位置に配置された画像に関連づけられたＡＶコンテンツをユーザが選択したＡＶコンテンツとして受け付けるＡＶコンテンツ受付部とを有し、
前記画像リスト表示部は、表示する画像リストに配置すべき各画像を、配置すべき画像リスト上の位置が前記特定の位置に近い順に、前記接続した前記外部装置から読み込み、読み込んだ各画像を用いて前記画像リストを表示することを特徴とするコンピュータプログラム。
【請求項１２】
コンピュータによって読み取られ実行されるコンピュータプログラムであって、
当該コンピュータプログラムは、前記コンピュータを、順番付けられた複数のＡＶコンテンツと前記各ＡＶコンテンツに関連づけられた画像とが記憶された外部装置に接続し、接続した前記外部装置に記憶されているＡＶコンテンツを出力するＡＶ装置として機能させ、
当該ＡＶ装置は、
前記接続した前記外部装置から前記画像を読み込んで、読込データとして保持する読込部と、
前記外部装置に記憶されているＡＶコンテンツに関連づけられた前記画像を、当該画像が関連づけられているＡＶコンテンツの前記順番に従って配置したリストの一部を画像リストとしてスクロール表示可能に表示するリスト表示部と、
ユーザの操作に応じて、前記画像リスト上の特定の位置に配置された画像に関連づけられたＡＶコンテンツをユーザが選択したＡＶコンテンツとして受け付けるＡＶコンテンツ受付部とを有し、
前記リスト表示部は、前記読込データとして保持されている画像を用いて前記画像リストの表示を行い、
前記読込部は、前記画像リストのスクロール停止時に前記リスト表示部が表示する画像リストに配置すべき各画像のうちの前記読込データとして保持されていないものを、配置すべき画像リスト上の位置が前記特定の位置に近い順に、前記接続した前記外部装置から読み込んで、前記読込データとして保持することを特徴とするコンピュータプログラム。
【請求項１３】
請求項１２記載のコンピュータプログラムであって、
前記外部装置は、当該外部装置に記憶されたＡＶコンテンツの属性を表すテキストも記憶し、
前記読込部は、前記接続した前記外部装置から前記テキストを読み込んで、読込データとして保持し、
前記ＡＶ装置は、
前記画像リストに配置された画像のうちの、少なくとも前記画像リスト上の前記特定の位置に配置された画像を含む、１または複数の画像の各々に関連づけられているＡＶコンテンツを属性対象表示ＡＶコンテンツとして、当該属性対象表示の属性を、前記読込データとして保持されているテキストを用いて表示する属性表示部を有し、
前記読込部は、
前記画像リストに含まれる画像が関連づけられたＡＶコンテンツの順番を順次大きくするスクロール表示が開始されたならば、当該スクロール表示が停止されるまで、当該スクロール表示開始時に前記属性対象表示ＡＶコンテンツとなっているＡＶコンテンツより後の順番の各ＡＶコンテンツの属性を表すテキストのうちの前記読込データとして保持されていないテキストを、当該ＡＶコンテンツの順番に従った順序で、順次、前記接続した前記外部装置から読み込んで、前記読込データとして保持し、
前記画像リストに含まれる画像が関連づけられたＡＶコンテンツの順番を順次小さくするスクロール表示が開始されたならば、当該スクロール表示が停止されるまで、当該スクロール表示開始時に前記属性対象表示ＡＶコンテンツとなっているＡＶコンテンツより前の順番の各ＡＶコンテンツの属性を表すテキストのうちの前記読込データとして保持されていないテキストを、当該ＡＶコンテンツの順番に従った順序と逆順に、順次、前記接続した前記外部装置から読み込んで前記読込データとして保持することを特徴とするコンピュータプログラム。
【請求項１４】
請求項１１記載のコンピュータプログラムであって、
前記画像リスト上の特定の位置は、前記画像リスト上の中央の位置であることを特徴とするコンピュータプログラム。
【請求項１５】
請求項１２記載のコンピュータプログラムであって、
前記画像リスト上の特定の位置は、前記画像リスト上の中央の位置であることを特徴とするコンピュータプログラム。
【請求項１６】
請求項１３記載のコンピュータプログラムであって、
前記ＡＶコンテンツは、オーディオアルバムであり、
前記ＡＶ装置は、前記ＡＶコンテンツ受付部がユーザが選択したＡＶコンテンツとして受け付けたＡＶコンテンツであるオーディオアルバムを出力することを特徴とするコンピュータプログラム。
【発明の詳細な説明】
【技術分野】
【０００１】
本発明は、ＡＶコンテンツを出力するＡＶ装置において、ＡＶコンテンツの一覧をスクロール可能に表示する技術に関するものである。
【背景技術】
【０００２】
ＡＶコンテンツを出力するＡＶ装置において、ＡＶコンテンツの一覧をスクロール可能に表示する技術としては、楽曲の再生を行うオーディオ再生装置において、アルバムに関連づけられた画像であるアートワークの一覧をスクロール可能に表示すると共に、一覧中の中央に位置するアルバムのタイトルやアーティストなどの属性情報を表示し、当該アートワークの一覧中でユーザのアルバムの選択を受け付ける技術が知られている（たとえば、特許文献１）。
【先行技術文献】
【特許文献】
【０００３】
【特許文献１】特開2002-082745号公報
【発明の概要】
【発明が解決しようとする課題】
【０００４】
さて、オーディオ再生装置において、外部のポータブルミュージックプレイヤに記憶されている楽曲の再生を行う場合に、ポータブルミュージックプレイヤに記憶されているアルバムのアートワークの一覧をスクロール可能に表示する場合には、以下の問題が生じる。
【０００５】
すなわち、ポータブルミュージックプレイヤからのアートワークの読込に比較的長時間を要するために、読込がスクロールに追いつかずに、アートワークや、アルバムのタイトルやアーティストなどの属性情報の表示をまったく行えなくなることがある。
そこで、本発明は、外部装置に記憶されたＡＶコンテンツのアートワークの一覧を、スクロール可能に表示するＡＶ装置において、アートワークや属性情報の表示が、より正常に行われるようにすることを課題とする。
【課題を解決するための手段】
【０００６】
前記課題達成のために、本発明は、順番付けられた複数のＡＶコンテンツと前記各ＡＶコンテンツに関連づけられた画像とが記憶された外部装置に接続し、接続した前記外部装置に記憶されているＡＶコンテンツを出力するＡＶ装置に、前記外部装置に記憶されているＡＶコンテンツに関連づけられた前記画像を、当該画像が関連づけられているＡＶコンテンツの前記順番に従って配置したリストの一部を画像リストとしてスクロール表示可能に表示する画像リスト表示部と、ユーザの操作に応じて、前記画像リスト上の特定の位置に配置された画像に関連づけられたＡＶコンテンツをユーザが選択したＡＶコンテンツとして受け付けるＡＶコンテンツ受付部とを設け、前記画像リスト表示部において、表示する画像リストに配置すべき各画像を、配置すべき画像リスト上の位置が前記特定の位置に近い順に、前記接続した前記外部装置から読み込み、読み込んだ各画像を用いて前記画像リストを表示するようにしたものである。
【０００７】
また、前記課題達成のために、本発明は、順番付けられた複数のＡＶコンテンツと前記各ＡＶコンテンツに関連づけられた画像とが記憶された外部装置に接続し、接続した前記外部装置に記憶されているＡＶコンテンツを出力するＡＶ装置に、前記接続した前記外部装置から前記画像を読み込んで、読込データとして保持する読込部と、前記外部装置に記憶されているＡＶコンテンツに関連づけられた前記画像を、当該画像が関連づけられているＡＶコンテンツの前記順番に従って配置したリストの一部を画像リストとしてスクロール表示可能に表示するリスト表示部と、ユーザの操作に応じて、前記画像リスト上の特定の位置に配置された画像に関連づけられたＡＶコンテンツをユーザが選択したＡＶコンテンツとして受け付けるＡＶコンテンツ受付部とを設けたものである。ただし、前記リスト表示部は、前記読込データとして保持されている画像を用いて前記画像リストの表示を行うものであり、前記読込部は、前記画像リストのスクロール停止時に前記リスト表示部が表示する画像リストに配置すべき各画像のうちの前記読込データとして保持されていないものを、配置すべき画像リスト上の位置が前記特定の位置に近い順に、前記接続した前記外部装置から読み込んで、前記読込データとして保持するものである。
【０００８】
これらのＡＶ装置によれば、画像リスト中への各画像の表示の際に、各画像が表示されるまでに要する時間の最大値が、ユーザが選択できるＡＶコンテンツの画像の配置位置である特定の位置に、配置される位置が近い画像ほど、すなわち、ユーザが着目している度合いの大きい画像ほど、短くなるようにすることができる。
【０００９】
ここで、このＡＶ装置は、前記外部装置に、当該外部装置に記憶されたＡＶコンテンツの属性を表すテキストも記憶し、前記読込部において、前記接続した前記外部装置から前記テキストを読み込んで、読込データとして保持するようにすると共に、当該ＡＶ装置に、前記画像リストに配置された画像のうちの、少なくとも前記画像リスト上の前記特定の位置に配置された画像を含む、１または複数の画像の各々に関連づけられているＡＶコンテンツを属性対象表示ＡＶコンテンツとして、当該属性対象表示の属性を、前記読込データとして保持されているテキストを用いて表示する属性表示部を設け、前記読込部において、前記画像リストに含まれる画像が関連づけられたＡＶコンテンツの順番を順次大きくするスクロール表示が開始されたならば、当該スクロール表示が停止されるまで、当該スクロール表示開始時に前記属性対象表示ＡＶコンテンツとなっているＡＶコンテンツより後の順番の各ＡＶコンテンツの属性を表すテキストのうちの前記読込データとして保持されていないテキストを、当該ＡＶコンテンツの順番に従った順序で、順次、前記接続した前記外部装置から読み込んで、前記読込データとして保持し、前記画像リストに含まれる画像が関連づけられたＡＶコンテンツの順番を順次小さくするスクロール表示が開始されたならば、当該スクロール表示が停止されるまで、当該スクロール表示開始時に前記属性対象表示ＡＶコンテンツとなっているＡＶコンテンツより前の順番の各ＡＶコンテンツの属性を表すテキストのうちの前記読込データとして保持されていないテキストを、当該ＡＶコンテンツの順番に従った順序と逆順に、順次、前記接続した前記外部装置から読み込んで前記読込データとして保持するようにしてもよい。
【００１０】
このようにすることにより、画像リストのスクロール中に、各時点において、表示すべきテキストが未読込であるために、表示が行えなくなってしまうことを抑制することができる。
ここで、以上の各ＡＶ装置において、前記画像リスト上の特定の位置は、前記画像リスト上の中央の位置としてもよく、この場合、前記画像リスト上の中央の位置に配置する画像のサイズを、前記画像リスト上の他の位置に配置する画像のサイズよりも大きなサイズを有するものとすることも好ましい。
【００１１】
また、以上の各ＡＶ装置において、前記ＡＶコンテンツは、オーディオアルバムとしてよく、この場合、当該ＡＶ装置は、前記ＡＶコンテンツ受付部がユーザが選択したＡＶコンテンツとして受け付けたＡＶコンテンツであるオーディオアルバムを出力するようにしてもよい。
【００１２】
ここで、本発明は、さらに、前記課題達成のために、順番付けられた複数のＡＶコンテンツと前記各ＡＶコンテンツに関連づけられた画像と前記各ＡＶコンテンツの属性を表すテキストとが記憶された外部装置に接続し、接続した前記外部装置に記憶されているＡＶコンテンツを出力するＡＶ装置として、前記接続した前記外部装置から前記テキストを読み込んで、読込データとして保持する読込部と、前記外部装置に記憶されているＡＶコンテンツに関連づけられた前記画像を、当該画像が関連づけられているＡＶコンテンツの前記順番に従って配置したリストの一部を画像リストとしてスクロール表示可能に表示するリスト表示部と、前記画像リストに含まれる少なくとも一つの画像に関連づけられているＡＶコンテンツを属性対象表示ＡＶコンテンツとして、当該属性対象表示の属性を、前記読込データとして保持されているテキストを用いて表示する属性表示部と備えたＡＶ装置を提供する。ここで、前記読込部は、前記画像リストに含まれる画像が関連づけられたＡＶコンテンツの順番を順次大きくするスクロール表示が開始されたならば、当該スクロール表示が停止されるまで、当該スクロール表示開始時に前記属性対象表示ＡＶコンテンツとなっているＡＶコンテンツより後の順番の各ＡＶコンテンツの属性を表すテキストのうちの前記読込データとして保持されていないテキストを、当該ＡＶコンテンツの順番に従った順序で、順次、前記接続した前記外部装置から読み込んで、前記読込データとして保持し、前記画像リストに含まれる画像が関連づけられたＡＶコンテンツの順番を順次小さくするスクロール表示が開始されたならば、当該スクロール表示が停止されるまで、当該スクロール表示開始時に前記属性対象表示ＡＶコンテンツとなっているＡＶコンテンツより前の順番の各ＡＶコンテンツの属性を表すテキストのうちの前記読込データとして保持されていないテキストを、当該ＡＶコンテンツの順番に従った順序と逆順に、順次、前記接続した前記外部装置から読み込んで前記読込データとして保持するものである。
【００１３】
このようなＡＶ装置によれば、画像リストのスクロール中に、各時点において、表示すべきテキストが未読込であるために、表示が行えなくなってしまうことを抑制することができる。
また、以上の各ＡＶ装置において、前記ＡＶコンテンツは、オーディオアルバムとしてよく、この場合、ＡＶコンテンツの属性を表すテキストは、当該ＡＶコンテンツであるオーディオアルバムのアルバム名とアーティストとの少なくとも一方を表すテキストとしてもよい。
【発明の効果】
【００１４】
以上のように、本発明によれば、Ａ外部装置に記憶されたＡＶコンテンツのアートワークの一覧を、スクロール可能に表示するＡＶ装置において、アートワークや属性情報の表示が、より正常に行われるようにすることができる。
【図面の簡単な説明】
【００１５】
【図１】本発明の実施形態に係るオーディオ装置の構成を示すブロック図である。
【図２】本発明の実施形態に係る外部コンテンツ管理データを示す図である。
【図３】本発明の実施形態に係るアルバム選択ウインドウを示す図である。
【図４】本発明の実施形態に係るアートワークリストのスクロール動作を示す図である。
【図５】本発明の実施形態に係る管理データ読込制御処理と順読込処理を示すフローチャートである。
【図６】本発明の実施形態に係る本発明の実施形態に係る現画面読込処理と順/逆スクロール対応読込処理を示すフローチャートである。
【図７】本発明の実施形態に係る管理データ読込制御処理の動作を示す図である。
【図８】本発明の実施形態に係るアルバム選択ウインドウの他の例を示す図である。
【発明を実施するための形態】
【００１６】
以下、本発明の実施形態について、オーディオ装置への適用を例にとり説明する。
図１に、本実施形態に係るオーディオ装置の構成を示す。
オーディオ装置１は自動車に搭載されるものであり、ラジオチューナーやＣＤ／ＤＶＤプレイヤなどのオーディオデータを出力する機器であるオーディオ出力機器１１、外部インタフェース１２、ＨＤＤ１３、オーディオ処理部１４、スピーカ１５、操作部１６、表示部１７、制御部１８、メディアプレイヤ１９とを備えている。ここで、ＨＤＤ１３には各々が楽曲を表す複数のオーディオコンテンツと、当該各オーディオコンテンツの管理情報を表すコンテンツ管理データとが記録されている。
【００１７】
但し、以上のオーディオ装置１は、ハードウエア的には、マイクロプロセッサや、メモリや、その他の周辺デバイスを有する一般的な構成を備えたコンピュータを利用して構成されるものであって良く、この場合、以上のオーディオ装置１の制御部１８やオーディオ処理部１４やメディアプレイヤ１９は、マイクロプロセッサが予め用意されたプログラムを実行することにより具現化するものであって良い。また、この場合、このようなプログラムは、記録媒体や適当な通信路を介して、オーディオ装置１に提供されるものであって良い。
【００１８】
さて、ここで、外部インタフェース１２には、楽曲を表すオーディオコンテンツと、当該オーディオコンテンツの管理情報とを記憶したポータブルミュージックプレイヤ２を接続することができる。
さて、このような構成において、オーディオ処理部１４は、入力するオーディオデータが表す音声を、必要に応じてデコードしてスピーカ１５に出力する機能を有する。
また、制御部１８は、ユーザから操作部１６を介して、オーディオ出力機器１１とＨＤＤ１３とポータブルミュージックプレイヤ２とのいずれをオーディオソースとするかの設定を受け付ける処理を行う。また、制御部１８は、オーディオ出力機器１１がオーディオソースとして設定されているときに、操作部１６のユーザ操作に応じてオーディオ出力機器１１の動作を制御しつつ、オーディオ処理部１４に、オーディオ出力機器１１が出力するオーディオデータが表す音声をスピーカ１５に出力させる処理などを行う。
【００１９】
一方、メディアプレイヤ１９は、ＨＤＤ１３がオーディオソースとして設定されているときには、ＨＤＤ１３に記録されているオーディオコンテンツの管理情報を格納したコンテンツ管理データを用いて、ＨＤＤ１３に記録されているオーディオコンテンツの再生制御操作受付用の、表示部１７と操作部１６を用いた適当なＧＵＩをユーザに提供し、当該ＧＵＩで受け付けた再生制御操作に応じて、再生対象とするオーディオコンテンツを設定し、オーディオ処理部１４に、当該再生対象としたオーディオコンテンツのオーディオデータが表す音声をスピーカ１５に出力させる。
【００２０】
また、メディアプレイヤ１９は、ポータブルミュージックプレイヤ２に記憶されているオーディオコンテンツの管理情報を読み込んで、ＨＤＤ１３に外部コンテンツ管理データとして記憶する処理を行う。また、メディアプレイヤ１９は、ポータブルミュージックプレイヤ２がオーディオソースとして設定されているときには、ポータブルミュージックプレイヤ２から、外部コンテンツ管理データを用いて、ＨＤＤ１３に記録されているオーディオコンテンツの再生制御操作受付用の表示部１７と操作部１６を用いたＧＵＩとして、表示部１７に表示したアルバム選択ウインドウの表示を用いたＧＵＩを提供し、アルバム選択ウインドウでアルバムや楽曲の選択を受けつけて再生対象のアルバムや再生対象の楽曲に設定する。そして、メディアプレイヤ１９は、再生対象のアルバムが設定された場合には、再生対象として設定されたアルバムに含まれる各楽曲のオーディオコンテンツのオーディオデータを順次ポータブルミュージックプレイヤ２に出力させ、オーディオ処理部１４にポータブルミュージックプレイヤ２が出力するオーディオデータが表す音声をスピーカ１５に出力させる。また、メディアプレイヤ１９は、再生対象の楽曲が設定された場合には、再生対象として設定された楽曲に対応するオーディオコンテンツのオーディオデータをポータブルミュージックプレイヤ２に出力させ、オーディオ処理部１４にポータブルミュージックプレイヤ２が出力するオーディオデータが表す音声をスピーカ１５に出力させる。
【００２１】
ここで、図２に、ＨＤＤ１３に記録する外部コンテンツ管理データを示す。
外部コンテンツ管理データは、ポータブルミュージックプレイヤ２に記憶されているオーディオコンテンツの管理情報のうちの、ポータブルミュージックプレイヤ２に記憶されているオーディオコンテンツに対応する楽曲が属する各アルバムを管理するためのアルバム情報に相当するものである。
【００２２】
そして、図示するように外部コンテンツ管理データは、ポータブルミュージックプレイヤ２に記憶されているオーディオコンテンツに対応するいずれかの楽曲が属するアルバム毎に設けられたアルバムデータを有し、各アルバムデータは、ポータブルミュージックプレイヤ２中のアルバムの順番を表すアルバム番号、アルバム属性テキストデータ、アートワークデータとより構成される。
【００２３】
ここで、アルバム属性テキストデータは、アルバムの各種属性をテキストで表したものであり、アルバムのアルバム名、アルバムのアーティスト、アルバムのジャンルなどを含む。また、アルバム属性テキストデータは、アルバムに含まれる楽曲であって、ポータブルミュージックプレイヤ２に対応するオーディオコンテンツが記録されている楽曲の各々毎に設けたタイトル属性テキストデータを含む。そして、各タイトル属性テキストデータは、楽曲の各種属性をテキストで表したものであり、楽曲のアルバム内の順番を表す楽曲番号、楽曲のタイトル、楽曲の再生時間などを含む。
【００２４】
次に、アルバムアートワークデータは、アルバムのアートワークとして用いる画像
（通常はアルバムのジャケット写真）の画像データである。
さて、ここで、個々のアルバム属性テキストデータと、個々のアートワークデータは、それぞれ独立して個別に、ポータブルミュージックプレイヤ２からオーディオ装置１に読み込むことができるようになっている。
次に、このような外部コンテンツ管理データを用いて、ＨＤＤ１３に記録されているオーディオコンテンツの再生制御操作受付用のＧＵＩとして表示部１７に表示するアルバム選択ウインドウについて説明する。
図３ａ１に、アルバム選択ウインドウの基本形態の表示例を、図３ｂ１にアルバム選択ウインドウのアルバム内楽曲表示形態の表示例を示す。
アルバム選択ウインドウの基本形態は、アルバム選択ウインドウの表示開始時のアルバム選択ウインドウの形態であり、図３ａ１に示すように、再生/一時停止ボタン３１、ＩＮＦＯボタン３２、７つのアートワークを並べて表示したアートワークリスト３３、アーティストとアルバム名を表すアルバム属性表示３４とを含む。
【００２５】
ここで、図３ａ２に、アートワークの位置に当該アートワークのアルバムのアルバム番号を示すことにより、アートワークリスト３３の構成を模式的に示したように、アートワークリスト３３に表示される７つのアートワークは、アルバム番号が連続する７つのアルバム（図では、Ｎ-３からＮ+３までのアルバム番号のアルバム）のアルバムデータのアートワークデータが表すアートワークであり、アルバム番号が前のものほど左に位置するようにアートワークが配置される。ただし、図３ａ１に示したように、アートワークリスト３３中に表示すべきアートワークのアートワークデータが、外部コンテンツ管理データのアルバムデータに読み込まれていない場合、（図３ａ２の、アルバム番号Ｎ-２のアルバムのアートワーク）についてはアートワークに変えてダミーアートワーク３３１をアートワークリスト３３中に配置する。一方、アートワークに変えてダミーアートワーク３３１を表示しているアルバムのアートワークデータが、当該ダミーアートワーク３３１の表示中に外部コンテンツ管理データに読み込まれた場合には、その時点で、アートワークリスト３３中のダミーアートワーク３３１の表示を、読み込まれたアートワークデータが表すアートワークの表示に更新する。
【００２６】
次に、アートワークリスト３３の中央に配置されたアートワークのアルバム（図では、アルバム番号がＮのアルバム）は選択候補アルバムとして自動的に設定され、選択候補アルバムのアルバムデータのアルバム属性テキストデータに格納されているアーティストとアルバム名がアルバム属性表示３４として、選択候補アルバムのアートワークの下に表示される。
【００２７】
ただし、選択候補アルバムとして設定されるアルバムが変化した時点で、選択候補アルバムに新たに設定されたアルバムデータのアルバム属性テキストデータが外部コンテンツ管理データ中に読み込まれていない場合には、その時点でアルバム属性表示３４は行わない。一方、あるアルバムが選択候補アルバムとして設定されている期間中に、当該アルバムのアルバム属性テキストデータが、外部コンテンツ管理データに読み込まれ場合には、当該読み込まれた時点で選択候補アルバムのアルバム属性表示３４を行う。
【００２８】
ここで、ユーザは、アートワークリスト３３に表示されるアートワークを、操作部１６を用いた順スクロール操作、逆スクロール操作によってスクロールすることができる。すなわち、メディアプレイヤ１９は、アートワークリスト３３にアートワークを表示するアルバムのアルバム番号の範囲を、ユーザの操作部１６に設けられたスクロールキーや方向キーを用いた順スクロール操作、逆スクロール操作に応じて変更する。
【００２９】
すなわち、図４に示したように、順スクロール操作が行われている期間中は、アートワークリスト３３にアートワークを表示するアルバムのアルバム番号の範囲を、当該範囲に含まれるアルバム番号が大きくなる方向に順次更新していき、逆スクロール操作が行われている期間中は、アートワークリスト３３にアートワークを表示するアルバムのアルバム番号の範囲を、当該範囲に含まれるアルバム番号が小さくなる方向に順次更新していく。
【００３０】
したがって、ユーザは、アートワークリスト表示を図４に示したようにスクロールすることにより、任意のアルバムを選択候補アルバムに設定し、そのアーティストとアルバム名をアルバム属性表示３４として表示させることができる。
さて、次に、このように、アルバム選択ウインドウを基本形態で表示しているときに、再生/一時停止ボタン３１が操作されると、現在オーディオコンテンツの再生中である場合には、当該再生が停止され、現在オーディオコンテンツの再生中でない場合には、選択候補アルバムが再生対象とするアルバムとして設定される。そして、メディアプレイヤ１９は、再生対象として設定されたアルバムに含まれる各楽曲のオーディオコンテンツのオーディオデータを順次ポータブルミュージックプレイヤ２に出力させ、オーディオ処理部１４にポータブルミュージックプレイヤ２が出力するオーディオデータが表す音声をスピーカ１５に出力させる。
【００３１】
次に、アルバム選択ウインドウを基本形態で表示しているときに、ＩＮＦＯボタン３２の操作が発生した場合には、メディアプレイヤ１９は、アルバム選択ウインドウの表示形態を、図３ｂ１に示したアルバム内楽曲表示形態に変更する。
アルバム選択ウインドウのアルバム内楽曲表示形態は、アートワークリスト３３の中央に配置されたアートワークのアルバムである選択候補アルバムのアートワークの表示に代えて、選択候補アルバムの楽曲リスト３５を表示したものである。ここで、図３ｂ２に楽曲リスト３５の構成を模式的に示すように、楽曲リスト３５は、選択候補アルバムの、アルバムデータのアルバム属性テキストデータの各タイトル属性テキストデータが示す、選択候補アルバムに含まれる各楽曲のタイトルと再生時間をリスト形式で表したものである。ただし、アルバム選択ウインドウの表示形態をアルバム内楽曲表示形態に変更した時点において、選択候補アルバムのアルバム属性テキストデータが外部コンテンツ管理データ中に読み込まれていない場合には、その時点で楽曲リスト３５の表示は行わない。一方、アルバム選択ウインドウの表示形態がアルバム内楽曲表示形態あるときに、選択候補アルバムのアルバム属性テキストデータが、外部コンテンツ管理データに読み込まれ場合には、当該読み込まれた時点で楽曲リスト３５の表示を行う。
【００３２】
ここで、ユーザは、このような楽曲リスト３５上で楽曲を選択することができ、メディアプレイヤ１９は、楽曲リスト３５上で楽曲を選択されると、選択された楽曲に対応するオーディオコンテンツを再生対象とするオーディオコンテンツとして設定し、再生対象としたオーディオコンテンツのオーディオデータをポータブルミュージックプレイヤ２に出力させ、オーディオ処理部１４にポータブルミュージックプレイヤ２が出力するオーディオデータが表す音声をスピーカ１５に出力させる。
【００３３】
次に、アルバム選択ウインドウをアルバム内楽曲表示形態で表示しているときに、ＩＮＦＯボタン３２の操作が発生した場合には、メディアプレイヤ１９は、アルバム選択ウインドウの表示形態を、図３ａ１に示した基本形態に復帰する。
さて、以上のようなオーディオ装置１において、メディアプレイヤ１９が、ポータブルミュージックプレイヤ２に記憶されているオーディオコンテンツの管理情報を読み込んで、ＨＤＤ１３に外部コンテンツ管理データとして記憶するために行う動作について説明する。
【００３４】
図５ａに、メディアプレイヤ１９が行う管理データ読込制御処理について説明する。
ここで、この管理データ読込制御処理は、オーディオ装置１が起動されたときに、メディアプレイヤ１９によって、その実行が開始される。
さて、図示するように、この管理データ読込制御処理では、ポータブルミュージックプレイヤ２がオーディオ装置１に接続されているかどうかを調べ（ステップ５０２）、接続されていれば即時、接続されていなければ接続されるのを待って、順読込処理を起動する（ステップ５０４）。そして、次に現画面読込処理を起動する（ステップ５０６）。
【００３５】
そして、以降は、ユーザのアートワークリスト３３の順スクロール操作の開始と（ステップ５０８）、ユーザのアートワークリスト３３の逆スクロール操作の開始と（ステップ５１０）、アートワークリスト３３のスクロールの停止の発生（ステップ５１２）を監視する。
【００３６】
そして、順スクロール操作が開始されたならば（ステップ５０８）、現画面読込処理と逆スクロール対応読込処理のうちの実行中の処理を終了させた上で、順スクロール対応読込処理を起動し（ステップ５１４）、逆スクロール操作が開始されたならば（ステップ５１０）、現画面読込処理と順スクロール対応読込処理のうちの実行中の処理を終了させた上で、逆スクロール対応読込処理を起動し（ステップ５１６）スクロールの停止が発生したならば（ステップ５１２）、逆スクロール対応読込処理と順スクロール対応読込処理のうちの実行中の処理を終了させた上で、現画面読込処理を起動する（ステップ５１８）動作を繰り返す。
【００３７】
次に、管理データ読込制御処理のステップ５０２で起動される順読込処理について説明する。
図５ｂに、この順読込処理の手順を示す。
図示するように、この処理では、ポータブルミュージックプレイヤ２の管理情報のアルバム情報から、当該アルバム情報で管理しているアルバム数を取得し、外部コンテンツ管理データに、アルバム数分のアルバムデータ作成し、各アルバムデータに連番のアルバム番号を格納する（ステップ５５２）。
【００３８】
そして、次に、最初のアルバム番号のアルバムから最後のアルバム番号のアルバムまで、アルバム番号の昇順に、各アルバムについて、順次（ステップ５５４、５６０、５６２）、当該アルバムのアルバム属性テキストデータが、外部コンテンツ管理データの当該アルバムのアルバム番号が登録されたアルバムデータに既に登録されているかどうかを調べ（ステップ５５６）、登録されていなければ、ポータブルミュージックプレイヤ２の管理情報のアルバム情報から、当該アルバムのアルバム属性テキストデータを読み込んで、外部コンテンツ管理データの当該アルバムのアルバム番号が登録されたアルバムデータに格納する（ステップ５５８）処理を行う。
【００３９】
そして、以上の処理によって、全てのアルバム番号のアルバムのアルバム属性テキストデータを、外部コンテンツ管理データに格納したならば、次に、アルバム番号の昇順に、各アルバム番号のアルバムについて、順次（ステップ５６４、５７０、５７２）、当該アルバムのアートワークデータが、外部コンテンツ管理データの当該アルバムのアルバム番号が登録されたアルバムデータに既に登録されているかどうかを調べ（ステップ５６６）、登録されていなければ、ポータブルミュージックプレイヤ２の管理情報のアルバム情報から、当該アルバムのアートワークデータを読み込んで、外部コンテンツ管理データの当該アルバムのアルバム番号が登録されたアルバムデータに格納する（ステップ５６８）処理を行う。
【００４０】
そして、以上の処理によって、全てのアルバム番号のアルバムのアートワークデータを、外部コンテンツ管理データに格納したならば、順読込処理を終了する。
ここで、現画面読込処理、順スクロール対応読込処理、逆スクロール対応読込処理の３つの読込処理は、この順読込処理に優先して実行される。すなわち、この順読込処理は、現画面読込処理、順スクロール対応読込処理、逆スクロール対応読込処理の３つの読込処理のいずれかが実行されている期間中は、その実行が一時的に停止され、当該３つの読込処理のいずれも実行されていない状態となったならば、その実行が再開される。
【００４１】
次に、図５ａの管理データ読込制御処理のステップ５０４、５１８で起動される現画面読込処理を起動する。
この現画面読込処理の手順を図６ａに示す。
図示するように、この処理では、選択候補アルバム、すなわち、アルバム選択ウインドウのアートワークリスト３３の中央に現在アートワークが表示されているアルバムのアルバム番号をＮとして（ステップ６０２）、Ｎ-３からＮ+３までのアルバム番号の７つのアルバムのアルバム属性テキストデータのうち、外部コンテンツ管理データのアルバムデータに未格納のものを、ポータブルミュージックプレイヤ２の管理情報のアルバム情報から読み込んで、外部コンテンツ管理データの対応するアルバムデータに格納する（ステップ６０４）。
【００４２】
次に、Ｎ、Ｎ+１、Ｎ-１、Ｎ+２、Ｎ-２、Ｎ+３、Ｎ-３のアルバム番号の順に、Ｎ-３からＮ+３までのアルバム番号の７つのアルバムについて（ステップ６０６、６０８、６１４、６１６）、順次、アルバムのアートワークデータが、外部コンテンツ管理データのアルバムデータに既に格納されているかどうかを調べ（ステップ６１０）、格納されていない場合には、当該アートワークデータをポータブルミュージックプレイヤ２の管理情報のアルバム情報から読み込んで、外部コンテンツ管理データの対応するアルバムデータに格納する（ステップ６１２）処理を行う。
【００４３】
そして、Ｎ-３からＮ+３までのアルバム番号の７つのアルバムの全てについて以上の処理が終了したならば、現画面読込処理を終了する。
なお、この現画面読込処理のステップ６０４は、Ｎ、Ｎ+１、Ｎ-１、Ｎ+２、Ｎ-２、Ｎ+３、Ｎ-３のアルバム番号の順に、Ｎ-３からＮ+３までのアルバム番号の７つのアルバムについて、順次、当該アルバムのアルバム属性テキストデータが、外部コンテンツ管理データの当該アルバムのアルバムデータに既に格納されているかどうかを調べ、格納されていない場合には、当該アルバムのアルバム属性テキストデータをポータブルミュージックプレイヤ２の管理情報のアルバム情報から読み込んで、対応するアルバムデータに格納する処理としてもよい。
【００４４】
次に、管理データ読込制御処理のステップ５１４で起動される順スクロール対応読込処理について説明する。
図６ｂに、この順スクロール対応読込処理の手順について示す。
図示するように、この処理では、選択候補アルバム、すなわち、アルバム選択ウインドウのアートワークリスト３３の中央に現在アートワークが表示されているアルバムのアルバム番号から、最後のアルバム番号までの各アルバムについて（ステップ６５２、６５８、６６０）、アルバム番号の昇順に、順次、当該アルバムのアルバム属性テキストデータが、外部コンテンツ管理データの当該アルバムのアルバム番号が登録されたアルバムデータに既に登録されているかどうかを調べ（ステップ６５４）、登録されていなければ、ポータブルミュージックプレイヤ２の管理情報のアルバム情報から、当該アルバムのアルバム属性テキストデータを読み込んで、外部コンテンツ管理データの当該アルバムのアルバム番号が登録されたアルバムデータに格納する（ステップ６５６）処理を行う。
【００４５】
そして、最後のアルバム番号まで以上の処理が完了したならば、処理を終了する。
次に、管理データ読込制御処理のステップ５１６で起動される逆スクロール対応読込処理について説明する。
図６ｃに、この逆スクロール対応読込処理の手順について示す。
図示するように、この処理では、選択候補アルバム、すなわち、アルバム選択ウインドウのアートワークリスト３３の中央に現在アートワークが表示されているアルバムのアルバム番号から、最初のアルバム番号までの各アルバムについて（ステップ６８２、６８８、６９０）、アルバム番号の降順に、順次、当該アルバムのアルバム属性テキストデータが、外部コンテンツ管理データの当該アルバムのアルバム番号が登録されたアルバムデータに既に登録されているかどうかを調べ（ステップ６８４）、登録されていなければ、ポータブルミュージックプレイヤ２の管理情報のアルバム情報から、当該アルバムのアルバム属性テキストデータを読み込んで、外部コンテンツ管理データの当該アルバムのアルバム番号が登録されたアルバムデータに格納する（ステップ６８６）処理を行う。
【００４６】
そして、最初のアルバム番号まで以上の処理が完了したならば、処理を終了する。
以上、管理データ読込制御処理、順読込処理、現画面読込処理、順スクロール対応読込処理、逆スクロール対応読込処理について説明した。
ここで、以上の各処理によれば、起動時及びアルバム選択ウインドウのアートワークリスト３３のスクロールの停止発生時には、現画面読込処理によって以下の処理が行われる。
すなわち、まず、アートワークリスト３３にアートワークが含まれる各アルバムのアルバム属性テキストのうち、外部コンテンツ管理テーブルに未読込のものが、ポータブルミュージックプレイヤ２の管理情報のアルバム情報から、外部コンテンツ管理テーブルに読み込まれる。
【００４７】
そして、その後、アートワークリスト３３にアートワークが含まれる各アルバムのアートワークのアートワークデータのうちの外部コンテンツ管理テーブルに未読込のものが、図７ａに"１st"、"2nd",..., "7th"として順番を示したように、アートワークリスト３３の中央のアートワークのアルバム（選択候補アルバム）より、中央のアートワークに表示位置が近いアートワークの順に、すなわち、選択候補アルバムにアルバム番号が近い順に、ポータブルミュージックプレイヤ２の管理情報のアルバム情報から外部コンテンツ管理テーブルに読み込まれる。
【００４８】
よって、起動後や、スクロールの停止後に、選択候補アルバムのアルバム属性表示３４や、選択候補アルバムの楽曲リスト３５や、アートワークリスト３３のアートワークの表示を、速やかに行えるようになる。また、アートワークリスト３３中への各アートワークの表示の際に、各アートワークが表示されるまでに要する時間の最大値が、アートワークの中央に近いアートワークほど、すなわち、ユーザが着目している度合いの強いアートワークほど、短くなるようにすることができる。
【００４９】
一方、アルバム選択ウインドウのアートワークリスト３３の順スクロールが開始されたときには、順スクロール対応読込処理によって、図７ｂに"１st"、"2nd",..., "7th"、...として順番を示したように、アートワークリスト３３の中央のアートワークのアルバム（選択候補アルバム）より、アルバム番号の昇順、したがって、順スクロールによって選択候補アルバムとなる順に、各アルバムのアルバム属性テキストが、ポータブルミュージックプレイヤ２の管理情報のアルバム情報から、外部コンテンツ管理テーブルに読み込まれる。ただし、既に、外部コンテンツ管理テーブルに読み込まれているアルバム属性テキストの読込は、これを行わない。
【００５０】
したがって、順スクロール中に、各時点において、選択候補アルバム（アートワークリスト３３の中央にアートワークが表示されるアルバム）のアルバム属性テキストが外部コンテンツ管理テーブルに未読込であるために、選択候補アルバムのアルバム属性表示３４が行えなくなってしまうことを抑制することができる。
【００５１】
次に、アルバム選択ウインドウのアートワークリスト３３の逆スクロールが開始されたときには、逆スクロール対応読込処理によって、図７ｃに"１st"、"2nd",..., "7th"、...として順番を示したように、アートワークリスト３３の中央のアートワークのアルバム（選択候補アルバム）より、アルバム番号の降順、したがって、逆スクロールによって選択候補アルバムとなる順に、各アルバムのアルバム属性テキストが、ポータブルミュージックプレイヤ２の管理情報のアルバム情報から、外部コンテンツ管理テーブルに読み込まれる。ただし、既に、外部コンテンツ管理テーブルに読み込まれているアルバム属性テキストの読込は、これを行わない。
【００５２】
したがって、逆スクロール中に、各時点において、選択候補アルバム（アートワークリスト３３の中央にアートワークが表示されるアルバム）のアルバム属性テキストが外部コンテンツ管理テーブルに未読込であるために、選択候補アルバムのアルバム属性表示３４が行えなくなってしまうことを抑制することができる。
【００５３】
以上、本発明の実施形態について説明した。
ところで、以上の実施形態は、アルバム選択ウインドウとして、たとえば、図８ａに示すように、アートワークとアルバム属性（たとえば、アルバム名とアーティスト）をリスト形式で表したアルバムリスト８０１を備えたアルバム選択ウインドウを用いるような場合にも同様に適用することができる。
【００５４】
ここで、アルバムリスト８０１には、図８ｂに示すように、アルバム番号が連続する複数のアルバムのアートワークとアルバム属性を表示する。また、アルバムリスト８０１の中央にアートワークとアルバム属性が配置されているアルバムを選択候補アルバムとする。
【００５５】
また、アルバムリスト８０１にアートワークとアルバム属性を表示するアルバムのアルバム番号の範囲は、ユーザの順スクロール操作に応じて、当該範囲に含まれるアルバム番号が大きくなる方向に順次更新し、ユーザの逆スクロール操作に応じて、当該範囲に含まれるアルバム番号が小さくなる方向に順次更新していく。
【００５６】
そして、起動時やアルバムリスト８０１のスクロールの停止発生時には、現画面読込処理によって、アルバムリスト８０１に含まれる各アルバムのアルバム属性テキストのうち、外部コンテンツ管理テーブルに未読込のものを、ポータブルミュージックプレイヤ２の管理情報のアルバム情報から、外部コンテンツ管理テーブルに読み込む。そして、その後、アルバムリスト８０１に含まれる各アルバムのアートワークのアートワークデータのうちの外部コンテンツ管理テーブルに未読込のものを、図８ｂに"１st"、"2nd",..., "5th"として順番を示したように、アルバムリスト８０１の中央のアルバム（選択候補アルバム）より、中央のアルバムに表示位置が近いアルバムの順に、すなわち、選択候補アルバムにアルバム番号が近い順に、ポータブルミュージックプレイヤ２の管理情報のアルバム情報から外部コンテンツ管理テーブルに読み込む。
【００５７】
また、アルバムリスト８０１の順スクロール操作が開始されたときには、順スクロール対応読込処理によって、図８ｃに"１st"、"2nd",..., "5th"、...として順番を示したように、アルバムリスト８０１の中央のアルバム（選択候補アルバム）より、アルバム番号の昇順、したがって、順スクロールによって選択候補アルバムとなる順に、各アルバムのアルバム属性テキストを、ポータブルミュージックプレイヤ２の管理情報のアルバム情報から、外部コンテンツ管理テーブルに読み込む。ただし、既に、外部コンテンツ管理テーブルに読み込まれているアルバム属性テキストの読込は、これを行わない。
【００５８】
また、アルバムリスト８０１の逆スクロール操作が開始されたときには、順スクロール対応読込処理によって、図８ｄに"１st"、"2nd",..., "5th"、...として順番を示したように、アルバムリスト８０１の中央のアルバム（選択候補アルバム）より、アルバム番号の降順、したがって、逆スクロールによって選択候補アルバムとなる順に、各アルバムのアルバム属性テキストを、ポータブルミュージックプレイヤ２の管理情報のアルバム情報から、外部コンテンツ管理テーブルに読み込む。ただし、既に、外部コンテンツ管理テーブルに読み込まれているアルバム属性テキストの読込は、これを行わない。
【００５９】
また、以上の実施形態は、ミュージックプレイヤを、楽曲やビデオタイトルなど任意のＡＶコンテンツを取り扱う外部装置に置き換え、オーディオ装置１を、当該ＡＶコンテンツの出力を行うＡＶ装置に置き換えて実施するようにすることもできる。
【符号の説明】
【００６０】
１…オーディオ装置、２…ポータブルミュージックプレイヤ、１１…オーディオ出力機器、１２…外部インタフェース、１３…ＨＤＤ、１４…オーディオ処理部、１５…スピーカ、１６…操作部、１７…表示部、１８…制御部、１９…メディアプレイヤ、３１…再生/一時停止ボタン、３２…ＩＮＦＯボタン、３３…アートワークリスト、３４…アルバム属性表示、３５…楽曲リスト、３３１…ダミーアートワーク、８０１…アルバムリスト。
【図１】
0005631639.tif 000002
【図２】
0005631639.tif 000003
【図３】
0005631639.tif 000004
【図４】
0005631639.tif 000005
【図５】
0005631639.tif 000006
【図６】
0005631639.tif 000007
【図７】
0005631639.tif 000008
【図８】
0005631639.tif 000009